(57)【特許請求の範囲】
【請求項１】
無線アクセスネットワークにおける輻輳を制御するためのシステムであって、
ポリシーおよび課金ルール機能（ＰＣＲＦ）を備え、前記ポリシーおよび課金ルール機能（ＰＣＲＦ）は、
無線アクセスネットワークにおける承認制御機能を行うためのノードから、前記無線アクセスネットワークにアクセスするための承認要求を受け取り、
前記承認要求の受け取りに応答して、前記無線アクセスネットワークにおける輻輳を制御する加入者特定ポリシーを前記ノードにインストールするように構成されており、
前記ノードは、前記無線アクセスネットワークを介してユーザ機器と通信するための発展型ＮｏｄｅＢ（ｅＮｏｄｅＢ）であり、
前記ＰＣＲＦは、前記ノードに、所定層の加入者からの前記承認要求を許可するための輻輳制御ポリシーを前記加入者特定ポリシーとしてインストールするように構成されており、
前記ノードは、前記所定層の加入者からの前記承認要求を許可するための輻輳制御ポリシーに基づいて、前記承認要求を行なった加入者が前記所定層の加入者に含まれない場合には、所定時間帯において前記無線アクセスネットワークのトラフィック状況に関わらず前記承認要求を拒否し、前記承認要求を行なった加入者が前記所定層の加入者に含まれる場合には、前記承認要求を許可する、システム。
【請求項２】
前記ノードは、ポリシー制御および実施機能（ＰＣＥＦ）として機能する、請求項１に記載のシステム。
【請求項３】
前記ＰＣＲＦは、時刻に基づいて前記無線アクセスネットワークにおける輻輳を管理するための輻輳制御ポリシーを前記加入者特定ポリシーとして前記ノードにインストールするように構成される、請求項１または２に記載のシステム。
【請求項４】
前記ＰＣＲＦは、装置タイプに基づいて前記無線アクセスネットワークにおける輻輳を管理するための輻輳制御ポリシーを前記加入者特定ポリシーとして前記ノードにインストールするように構成される、請求項１または２に記載のシステム。
【請求項５】
前記ＰＣＲＦは、輻輳を含むネットワーク状況に基づいて前記無線アクセスネットワークにおける輻輳制御ポリシーを前記加入者特定ポリシーとしてインストールように構成される、請求項１〜４のいずれか１項に記載のシステム。
【請求項６】
前記ＰＣＲＦは、ユーザ機器（ＵＥ）上のアプリケーションによって要求されるサービス品質（ＱｏＳ）に基づいて前記無線アクセスネットワークにおける輻輳を管理するための輻輳制御ポリシーを前記加入者特定ポリシーとしてインストールするように構成される、請求項１〜４のいずれか１項に記載のシステム。
【請求項７】
無線アクセスネットワークにおける輻輳を制御するための方法であって、
ポリシーおよび課金ルール機能（ＰＣＲＦ）が、
無線アクセスネットワークにおける承認制御機能を行うためのノードから、前記無線アクセスネットワークにアクセスするための承認要求を受け取るステップと、
前記承認要求の受け取りに応答して、前記無線アクセスネットワークにおける輻輳を制御する加入者特定ポリシーを前記ノードにインストールするステップとを含み、
前記ノードは、前記無線アクセスネットワークを介してユーザ機器と通信するための発展型ＮｏｄｅＢ（ｅＮｏｄｅＢ）であり、
前記インストールするステップは、前記ノードに、所定層の加入者からの前記承認要求を許可するための輻輳制御ポリシーを前記加入者特定ポリシーとしてインストールすることを含み、
前記ノードは、前記所定層の加入者からの前記承認要求を許可するための輻輳制御ポリシーに基づいて、前記承認要求を行なった加入者が前記所定層の加入者に含まれない場合には、所定時間帯において前記無線アクセスネットワークのトラフィック状況に関わらず前記承認要求を拒否し、前記承認要求を行なった加入者が前記所定層の加入者に含まれる場合には、前記承認要求を許可する、方法。
【請求項８】
実行可能命令を含むコンピュータ読取可能プログラムであって、前記実行可能命令は、コンピュータのプロセッサによって実行された場合、
ポリシーおよび課金ルール機能（ＰＣＲＦ）において、無線アクセスネットワークにおける承認制御機能を行うためのノードから、前記無線アクセスネットワークにアクセスするための承認要求を受け取るステップと、
前記承認要求の受け取りに応答して、前記無線アクセスネットワークにおける輻輳を制御するために前記ノードに加入者特定ポリシーをインストールするステップとをコンピュータに実行させ、
前記ノードは、前記無線アクセスネットワークを介してユーザ機器と通信するための発展型ＮｏｄｅＢ（ｅＮｏｄｅＢ）であり、
前記インストールするステップは、前記ノードに、所定層の加入者からの前記承認要求を許可するための輻輳制御ポリシーを前記加入者特定ポリシーとしてインストールすることを含み、
前記ノードは、前記所定層の加入者からの前記承認要求を許可するための輻輳制御ポリシーに基づいて、前記承認要求を行なった加入者が前記所定層の加入者に含まれない場合には、所定時間帯において前記無線アクセスネットワークのトラフィック状況に関わらず前記承認要求を拒否し、前記承認要求を行なった加入者が前記所定層の加入者に含まれる場合には、前記承認要求を許可する、コンピュータ読取可能プログラム。
【発明の詳細な説明】
【技術分野】
【０００１】
優先権主張
本件出願は、２０１２年７月１４日に出願された米国特許仮出願第６１／６７１，６９１号の利益を主張するものであり、その開示の全体が引用によりここに援用される。
【０００２】
技術分野
本明細書に記載される主題は、通信ネットワークにおける輻輳を制御するための方法およびシステムに関する。より特定的には、本明細書に記載される主題は、無線アクセスネットワークにおける輻輳を動的に制御するための方法、システム、およびコンピュータ読取可能媒体に関する。
【背景技術】
【０００３】
背景
無線事業者は、ネットワークにおけるデータの氾濫に対処する努力を行っており、事業目的に適合するように無線スペクトラムの優先順位付けを確実に行う。移動体通信事業者は、移動体通信ネットワークにおけるアクセス量の増大（たとえば、スマートフォン採用の増加率）およびデータフロー量の増大（たとえば、ネットワークにおけるデータ使用の増加率）の両方からの圧力を受ける。事業者所有サービスを用いることによって資本支出および事業支出の増加を相殺する以前の方法は、音声サービスが優勢を占めていた世界ほど有効ではない。
【０００４】
これに加え、マシンツーマシン（Machine to Machine）装置（Ｍ２Ｍ）と呼ばれる装置の新しいクラスがある。この装置のクラスは、過去の携帯電話（人間）ネットワークにおいて事業者が慣れていた移動性プロファイルとは非常に異なる移動性プロファイルを有する。結果として、多くの事業者は、３ＧＰＰリリース８に展開したときよりもさらにネットワークのためのビットあたりの費用を削減し、移動体通信ネットワークのインフラストラクチャーを単純化するように試みなければならない。３ＧＰＰリリース８は、すでにネットワーク階層を平坦化し、多くの３ＧＰＰ専用プロトコルを取り除き、ネットワークをよりＩＰネットワークに近づけたが、これはさらに向上させることができる。
【０００５】
この目的を達成するために、無線事業者は、無線リソース制御（ＲＲＣ）を行うソフトウェアエンティティにおいて、加入者／装置情報、アプリケーションおよびサービス情報、クオータ利用、アクセスされているアクセスポイント名（ＡＰＮ）／データパケットネットワーク（ＰＤＮ）など、コアネットワーク要素および高次層によって提供される情報に基づく承認制御のような活動を行うための機構を現在は有していない。これを可能とすることにより、事業者は、一方の承認の要求が他方に先んじて専用の無線通信リソースを使用するように無線アクセスネットワーク（ＲＡＮ）において無線リソースの使用をゲート制御することができ、ネットワークにおいて差別化されたサービスを提供するために事業者が必要とする出現要件を満たす。
【０００６】
このため、無線アクセスネットワークにおいて輻輳を動的に制御するための方法、システム、およびコンピュータ読取可能媒体が必要となっている。
【発明の概要】
【課題を解決するための手段】
【０００７】
概要
一局面によれば、本明細書に記載される主題は、無線アクセスネットワークにおける輻輳を動的に制御するためのシステムを含む。システムは、ポリシーおよび課金ルール機能（ＰＣＲＦ）を含み、ポリシーおよび課金ルール機能（ＰＣＲＦ）は、無線アクセスネットワークを介してユーザ機器と通信するためのノードから承認要求を受け取り、承認要求の受け取りに応答して、無線アクセスネットワークにおける輻輳を制御する加入者特定ポリシーをノードにインストールする。
【０００８】
他の局面によれば、本明細書に記載される主題は、無線アクセスネットワークにおける輻輳を動的に制御するための方法を含む。方法は、ポリシーおよび課金ルール（ＰＣＲＦ）において、無線アクセスネットワークを介してユーザ機器と通信するためのノードから承認要求を受け取るステップと、承認要求の受け取りに応答し、無線アクセスネットワークにおける輻輳を制御する加入者特定ポリシーをノードにインストールするステップとを含む。
【０００９】
本明細書に記載される主題は、ハードウェアおよび／またはファームウェアと組み合わせてソフトウェアにおいて実施することができる。たとえば、本明細書に記載される主題は、プロセッサによって実行されるソフトウェアにおいて実施することができる。１つの例示的な実施において、本明細書に記載される主題は、コンピュータのプロセッサによって実行された場合にコンピュータにステップを実行させるコンピュータ実行可能命令を保存する非一時的なコンピュータ読取可能媒体を用いて実施することができる。本明細書に記載の主題を実施するのに適した例示的なコンピュータ読取可能媒体は、ディスクメモリ装置、チップメモリ装置、プログラマブルロジックデバイス、および特定用途向け集積回路などの非一時的なコンピュータ読取可能媒体を含む。加えて、本明細書に記載される主題を実施するコンピュータ読取可能媒体は、単一の装置またはコンピューティングプラットフォームに置かれ得る、または複数の装置もしくはコンピューティングプラットフォームにわたって配信され得る。
【００１０】
本明細書に記載される主題の好ましい実施形態は、添付の図面を参照して説明され、これらの図面において同様の参照符号は同様の部品を示す。
【図面の簡単な説明】
【００１１】
【図１】本明細書に記載される主題の実施形態に係る、無線アクセスネットワークにおける輻輳を動的に制御するための例示的なシステムを示す図である。
【図２】本明細書に記載される主題の実施形態に係る、通信される例示的な信号メッセージを示す信号メッセージフロー図である。
【図３】本明細書に記載される主題の実施形態に係る、無線アクセスネットワークにおける輻輳を動的に制御するための例示的な処理を示すフローチャートである。
【図４】本明細書に記載される主題の実施形態に係る、無線アクセスネットワークにおける輻輳制御を実施するための例示的なノードを示すブロック図である。
【発明を実施するための形態】
【００１２】
詳細な説明
本明細書に開示される主題に従い、無線アクセスネットワークにおける輻輳を制御するために、システム、方法、およびコンピュータ読取可能媒体が提供される。ここで本発明の例示的な実施形態が詳細に参照され、これらの例は添付の図面に示される。可能な場合は、同じまたは同様の部分を参照するために図面の全体において同じ参照符号が用いられる。
【００１３】
無線アクセスネットワークは、モバイル装置とコアネットワークとの間に位置付けられる。コアネットワークは、従来のネットワークにおいては直接的にＲＡＮと対話しないポリシー制御インフラストラクチャーを含む。ポリシー制御インフラストラクチャーは、加入者プロファイルリポジトリ（ＳＰＲ）またはホーム加入者サーバー（ＨＳＳ）などの加入者プロビジョニングシステムとの通信を介して加入者およびデバイス情報を利用することができ、コアネットワークにおける任意のディープパケットインスペクション（ＤＰＩ）との対話を用いたアプリケーションおよびサービス感度（service sensitivity）を有し得る。加えて、ポリシーインフラストラクチャーは、ネットワーク状況やＲＡＮ負荷などについての情報も利用し得る。本明細書に記載される主題は、ポリシー制御インフラストラクチャーの範囲をＲＡＮにまで拡張する。
【００１４】
本明細書に開示される主題において記載される方法およびシステムは、事業者ネットワーク内のＲＡＮインフラストラクチャーにおける（たとえば、ｅＮｏｄｅＢにおける）既存の承認制御機能をポリシーインフラストラクチャーにおける情報と結び付け、動的な方法でＲＡＮにおいて承認制御機能を行う。たとえば、加入者層情報を用いて、事業者は、事業者によって設定された閾値よりも低い層の加入者による無線リソースのアクセスを許可または否認することができる。ＲＡＮベンダーは、ネットワークの輻輳の制御によって彼らの製品の必要性が低下することから、輻輳の制御を妨げてきた。
【００１５】
本明細書に記載のようにＲＡＮに意識および知能のレベルを持ち込むことは前例がないが有用である。従来のネットワークの事業者は、加入者の層および／または装置に基づく呼処理の承認をゲート制御することができない。しかしながら、この制御のレベルは、本明細書に記載される方法およびシステムによって可能である。また、この動作は完全に動的なものとなり得て、ポリシーインフラストラクチャーがＲＡＮギヤが過負荷であることに気付いたときにポリシーインフラストラクチャーがポリシー命令をインフラストラクチャーに送って調整を開始し、ポリシーインフラストラクチャーがネットワークが正常または低下した負荷レベルで再開したことに気付いた場合にポリシーが取り除かれる。アクセス側におけるこのサービス差別化のレベルは、前例がないが正当である。なぜなら、事業者は年間何十億ドルもスペクトラム料金に支払っているが、不幸にもすべての層の加入者が負う信号の輻輳の管理に多額の金を費やしており、事業者の投資回収率（ＲＯＩ）の希釈化に悪影響を与えるからである。
【００１６】
コアネットワークによって制御されるポリシー実施点としてＲＡＮギヤが作動した場合に上述の利益はさらに向上し、アクセス層における豊富なＱｏＳのスイート、アクセス制御、アプリケーションおよびサービス認識を可能とする。
【００１７】
図１は、本明細書に記載される主題の実施形態に係る、無線アクセスネットワークにおける輻輳を動的に制御するための例示的なシステムを示すブロック図である。
【００１８】
一実施形態において、無線アクセスネットワークにおける輻輳を制御するためのシステム１００は、ポリシーおよび課金ルール機能（ＰＣＲＦ）１０２を含み、ポリシーおよび課金ルール機能（ＰＣＲＦ）１０２は、無線アクセスネットワークを介してユーザ機器と通信するためのノードから承認要求を受け取り、承認要求の受け取りに応答し、無線アクセスネットワークにおける輻輳を制御する加入者特定ポリシーをノードにインストールする。
【００１９】
図１に示される実施形態において、たとえば、ＰＣＲＦ１０２は、ＵＥ１０６などのユーザ機器と通信するための発展型ＮоｄｅＢ（ｅＮоｄｅＢ）１０４からの承認要求（メッセージ１）を無線アクセスネットワーク（ＲＡＮ）１０８を介して受け取り得る。承認要求の受け取りに応答し、ＰＣＲＦ１０２は、ＲＡＮ１０８における輻輳を制御し得る加入者特定ポリシー（メッセージ２）をｅＮｏｄｅＢ１０４にインストールし得る。代替的な実施形態において、ＰＣＲＦ１０２は、ＲＡＮ１０８を介してユーザ機器と通信する他のノードから承認要求を受け取り、加入者特定ポリシーをインストールし得る。
【００２０】
ＰＣＲＦ１０２は、無線アクセスネットワークにおける輻輳を制御する処理の一部として他のノードと通信し得る。図１に示される実施形態において、たとえば、ＰＣＲＦ１０２は、加入者プロファイル情報を保持する加入者プロファイルレジスタ（ＳＰＲ）１１０に問い合わせ、特定の加入者についての情報を得る。システム１００は、パケットデータネットワーク（ＰＤＮ）１１４に対するインターフェイスであるパケットデータネットワークゲートウエイ（ＰＧＷ）１１２を含み得る。ＰＣＲＦ１０２は、加入者特定ポリシーまたはポリシー命令をＰＧＷ１１２にも提供し得る。このシステムの例示的な動作は図２に示される。
【００２１】
図２は、本明細書に記載される主題の実施形態に係る、通信される例示的なメッセージを示す信号メッセージフロー図である。図２は、通信ネットワーク内における無線輻輳制御を示し、図１に示されるシステムを参照して記載される。
【００２２】
動作時において、ｅＮｏｄｅＢ１０２は、ＲＡＮ１０６を介してネットワークサービスへのアクセスを要求するすべてのタイプの無線加入者からの要求を受け取る。図２に示される実施形態において、ｅＮｏｄｅＢ１０２はこのような要求２００、たとえばビデオ通話を開始したいブロンズ加入者のユーザ機器からの信号メッセージを受け取る。要求２００の受け取りに応答し、ｅＮｏｄｅＢ１０２およびＰＣＲＦ１０８は互いに通信し（信号２０２）、その加入者に適用するポリシーを判定する。この処理において、ＰＣＲＦ１０８は、加入者情報をＳＰＲ１１０に問い合わせ、このＳＰＲ１１０はＰＣＲＦ１０８に提供する（信号２０４）。ＰＣＲＦ１０８は、加入者特定ポリシー命令をＰＧＷ１１２に対しても通信し得る（信号２０６）。信号メッセージ２００，２０２，２０４，２０６は、ｅＮｏｄｅＢ１０２、ＰＣＲＦ１０８、ＳＰＲ１１０、およびＰＧＷ１１２の間で交換される信号メッセージを代表するものであり、すべてのタイプの加入者および装置がビデオ通話の立ち上げを許可される点を示している。すなわち、ｅＮｏｄｅＢ１０２は、ＰＣＲＦ１０８への信号トラフィックを開始することによってすべての要求に応答する。
【００２３】
しかしながら、一部の点において、ＰＣＲＦ１０８は、無線輻輳を制御することを目的として、承認制御ポリシー命令（メッセージ２０８）をｅＮｏｄｅＢ１０２に送り得る。図２に示されるシナリオにおいて、たとえば、メッセージ２０８は、特定の層の加入者および／または特定の機器を使用する加入者のみがビデオ通話を行うことができるようにｅＮｏｄｅＢ１０２に命令し得る。ボックス２１０は、無線輻輳制御が有効となる動作の時間を示す。
【００２４】
図２に示される実施形態において、いくつかの承認要求がｅＮｏｄｅＢ１０２によって受け取られる。第１がメッセージ２１２であり、ビデオ通話を試みるゴールド層加入者によって送られる。ゴールド層顧客はビデオ通話をかけることが許可されることから、この承認要求が許可され（ボックス２１４）、ｅＮｏｄｅＢ１０２、ＰＣＲＦ１０８、ＳＰＲ１１０、およびＰＧＷ１１２は通常の対話を行う（信号２１６，２１８，２２０）。
【００２５】
次の承認要求であるメッセージ２２２は、ビデオ通話を試みるブロンズ層加入者からのものである。この時点でｅＮｏｄｅＢ１１２において有効な輻輳制御ポリシーはこれを禁止していることから、要求が否認される（ボックス２２４）。結果として、ｅＮｏｄｅＢ１０２、ＰＣＲＦ１０８、ＳＰＲ１１０、およびＰＧＷ１１２の間の通常の対話が回避され、無線輻輳が減少する。
【００２６】
第３の承認要求であるメッセージ２２６は、ビデオ通話を試みるシルバー層加入者からのものである。この例において、この時点での輻輳ポリシー（ボックス２２８）によってこれが許可されており、ｅＮｏｄｅＢ１０２、ＰＣＲＦ１０８、ＳＰＲ１１０、およびＰＧＷ１１２は互いに対話する（信号２３０，２３２，２３４）。一実施形態において、シルバー層加入者は、帯域幅、ビデオ解像度、品質などが限定された状態でビデオ通話が許可され得る。
【００２７】
第４の承認要求であるメッセージ２３６は、ウェブブラウザを用いてネットワークに接続したいブロンズ層加入者からのものである。図２に示される例において、この要求も拒否され（ボックス２３８）、ＰＣＲＦ１０８によって提供されてｅＮｏｄｅＢ１０２において有効とされる輻輳制御ポリシーによって低層加入者が厳しく制限され得るという原則を示している。
【００２８】
一部の点において、ＰＣＲＦ１０８は、すべての通話を許可する、たとえば以前に有効であった輻輳制御処置を取り消すなどのさらに他のポリシー変更を発し得る（メッセージ２４０）。これは、ボックス２１０の終了によって示される。後続の承認要求は、制限なしに処理される。たとえば、シルバー層加入者はビデオ通話をかけることに成功し（メッセージ２４２，２４４，２４６，２４８）、ブロンズ層加入者は同じことができる（メッセージ２５０，２５２，２５４，２５６）。
【００２９】
したがって、図３は、移動通信ネットワークにおける信号コストを動的に制御する能力を示す。たとえば、ＰＣＲＦ１０２は、検知された承認要求の増加などの一部のトリガ条件に応答し、ｅＮｏｄｅＢ１０４に対して輻輳制御ポリシーを適用し得る。たとえば、ＰＣＲＦ１０２は、閾値の率もしくは変化率を承認要求が超えたこと、および異なる層の加入者による要求の相対割合を検知したことなどに応答して、輻輳制御を適用し得る。同様に、ＰＣＲＦ１０２による制御ポリシーの適用を引き起こすために使用されるこれらの閾値は、動的に変更され得る、または時刻、曜日、または他の条件に基づいて静的に設定され得る。この柔軟性により、ＰＣＲＦ１０２は、たとえばピーク使用時間に輻輳制御を動的に適用する。他の例は、局所的もしくは国家的な緊急事態または特殊な事象などの他の条件を検知することまたは通知されることに応答して輻輳制御を適用することを含む。
【００３０】
無線アクセスネットワークにおけるノードにポリシーをインストールすることにより、低層加入者による信号輻輳を減少させることができる。これは、低層加入者のための呼処理段階において無線アクセスがアクセス権を抑えて否認し、より高い層の加入者のための貴重な無線資源を確保するためである。しかしながら、たとえば、トラフィック状況に関わらず午後５：００と午後１０：００との間にブロンズ層抑制ポリシーを適用するように命令するポリシーをｅＮｏｄｅＢ１０４にインストールすることにより、同じ機構を用いて静的輻輳制御が提供され得る。
【００３１】
図３は、本明細書に記載される主題の実施形態に係る、移動通信ネットワークにおける信号コストを動的に制御するための例示的な処理を示すフローチャートである。この処理は、ここで図１および図３を参照して記載される。
【００３２】
ステップ３００において、ポリシーおよび課金ルール機能は、無線アクセスネットワークを介してユーザ機器と通信するためのノードから承認要求を受け取る。たとえば、ＰＣＲＦ１０２は、ＲＡＮ１０８におけるｅＮｏｄｅＢ１０４を介してＵＥ１０６から承認要求を受け取り得る。
【００３３】
ステップ３０２において、承認要求の受け取りに応答して、無線アクセスネットワークにおける輻輳を制御する加入者特定ポリシーがノードにインストールされる。たとえば、ＰＣＲＦ１０２は、加入者特定ポリシーをｅＮｏｄｅＢ１０２にインストールし、ＲＡＮ１０８における輻輳を制御する。そして、ＲＡＮ１０８における輻輳を制御するポリシーは、ｅＮｏｄｅＢ１０２によって実施される。
【００３４】
ｅＮｏｄｅＢ１０４などの無線アクセスネットワークのノードに提供される加入者特定ポリシーを介して無線輻輳制御を提供するためにＰＣＲＦ１０２を使用することにより、ＲＡＮノードは、ポリシーおよび課金実施機能（ＰＣＥＦ）として作動し、無線アクセスネットワークを介してコアネットワークに入る信号およびデータトラフィックに対する高レベルの制御をネットワーク事業者に与える。この方法で実施することができる無線輻輳制御の例は、加入者層、時刻、装置時間、または他の条件に基づいてアクセス制限、信号制限、またはデータ制限をかけることを含むが、これらに限定されない。
【００３５】
図４は、本明細書に記載される主題の実施形態に係る、無線アクセスネットワークにおける輻輳制御を実施するための例示的なノードを示すブロック図である。図４に示される実施形態において、ノード４００は、メッセージを送る、または受け取るための１つ以上の通信インターフェイス４０２を含む（たとえば、Ｇｘインターフェイス、Ｇｘｘインターフェイス、Ｓ１インターフェイス、Ｓ７インターフェイス、Ｓｐインターフェイス、拡張可能なマーク付け言語（ＸＭＬ）インターフェイス、セッション開始プロトコル（ＳＩＰ）インターフェイス、ＳＯＡＰインターフェイス、またはハイパーテキスト転送プロトコル（ＨＴＴＰ）もしくはその他を介して）。
【００３６】
ノード４００は、データ記憶エンティティ４０６に通信可能に結合され得るポリシー制御モジュール４０４を含み得る。ポリシー制御モジュール４０４は、無線アクセスネットワークにおける輻輳制御の実施など、ここに記載される主題の１つ以上の局面を行うための任意の適したエンティティ（たとえば、プロセッサ上で実行されるソフトウェア）であり得る。ノード４００は、データ記憶エンティティ４０６にアクセスし得る（情報の読み取りおよび／または書き込みを行い得る）。データ記憶エンティティ４０６は、様々なデータを記憶するための適したエンティティであり得る（たとえば、コンピュータ読取可能媒体またはメモリ）。
【００３７】
一実施形態において、ノード４００は、ポリシーおよび課金ルール機能、またはＰＣＲＦであり得る。ノード４００は、無線アクセスネットワークにおける承認制御機能を行うためのノードから通信インターフェイス４０２を介して承認要求を受け取り得る。これらの承認要求は、ポリシー制御モジュール４０４によって処理され得る。承認要求の受け取りに応答し、ポリシー制御モジュール４０４は、必要に応じてデータ記憶エンティティ４０６から無線アクセスネットワークにおける輻輳を制御するための加入者特定ポリシーを検索し、無線アクセスネットワークにおける承認制御機能を行うためのノードに適切なポリシーをインストールし得る。ノード４００は、インストールする適切なポリシーを、ネットワーク条件、加入者層、装置タイプ、場所、時刻、ＱｏＳ要件、ＱｏＥ要件、サービス同意、および／または他の情報に基づいて判定し得るが、これらに限定されない。
【００３８】
上の記載は例示を目的としており、ノード４００が付加的および／または異なるモジュールまたは構成部品を含み得ることが分かる。
【００３９】
本明細書に記載される主題の様々な詳細は、本明細書に記載される主題の範囲から逸脱することなく変更され得ることが理解される。さらに、上の記述は例示のみを目的としており、限定を目的としていない。
【図１】
0006514639.tif 000002
【図２】
0006514639.tif 000003
【図３】
0006514639.tif 000004
【図４】
0006514639.tif 000005